(57)【要約】      （修正有）【課題】組立てや折り畳みにも便利な収納ボックスを提供する。【解決手段】ボックス体と、ボックス体底面に設けられる硬質受け板と、ボックス体の中に置かれる少なくとも一つの仕切り枠を備える。ボックス体底面の四辺には、上に延された四側面があり、底面と側面によってボックス体の内部空間が構成され、隣接した二側面の間には曲がり部が形成され、対向した二側面の上にはそれぞれ折曲げ部が設けられる。仕切り枠は、ボックス体の内側面または受け板の上につながり、仕切り枠は四側面に囲まれ、仕切り枠の中には、仕切り辺が設けられ、仕切り辺の両側はそれぞれ、側面とつながり、隣接した二側面の間には、曲がり部が形成されており、仕切り枠は仕切り辺に、二つ以上の収納空間に分割される。【選択図】図１
0003162210.tif 000002
【実用新案登録請求の範囲】
【請求項１】
ボックス体が備わっており、該ボックス体は底面があり、該底面の四辺には、上に延された四側面があり、該底面と側面によってボックス体の内部空間が構成され、隣接した二側面の間には曲がり部が形成され、対向した二側面の上にはそれぞれ、少なくとも少なくとも一つの折畳み部が設けられており、
ボックス体の底面に設けられた硬質受け板が備わっており、
少なくとも一つの仕切り枠が備わっており、該仕切り枠は、ボックス体の内側面または受け板の上につながり、そしてボックス体の中に置かれているが、該仕切り枠は四側面に囲まれ、該仕切り枠の中には、仕切り辺が設けられ、該仕切り辺の両側はそれぞれ、側面とつながり、隣接した二側面の間には、曲がり部が形成されており、仕切り枠は該仕切り辺に、二つ以上の収納空間に分割されるように設けられていることを特徴とする収納ボックス。
【請求項２】
仕切り枠内の仕切り辺は二つあり、二つの該仕切り辺は相互に垂直し、該仕切り枠の側面は硬い面に、仕切り辺は柔らかい辺に、仕切り枠は該仕切り辺に、四つの収納空間に分割されるように設けられていることを特徴とする請求項１に記載の収納ボックス。
【請求項３】
該仕切り枠の曲がり部及びボックス体内側面の曲がり部がつながり、または、仕切り枠側面の底辺及びボックス体内側面の底辺がつながり、または、該仕切り枠側面の底辺及び受け板がつながっているように設けられていることを特徴とする請求項１に記載の収納ボックス。
【請求項４】
該受け板の縁には、取っ手が設けられていることを特徴とする請求項１に記載の収納ボックス。
【請求項５】
該ボックス体の中には、並立している二つの仕切り枠またはマトリックスに並んだ四つの仕切り枠が設けられ、並立している二つまたはマトリックスに並んだ四つの仕切り枠をボックス体全体に充満させ、ボックス体を八つまたは十六つの収納空間に隔て、または、並立している二つの該仕切り枠は、ボックス体の二つの対角に設けられ、それによって、ボックス体を十つの収納空間に隔てるように設けられていることを特徴とする請求項１に記載の収納ボックス。
【考案の詳細な説明】
【技術分野】
【０００１】
本考案は、物置容器に関わり、特に収納ボックスに関する。
【背景技術】
【０００２】
収納ボックスはご存知のように、小物を収納するためのものであり、従来の収納ボックスは一般的に、ボックス体、及びボックス体の中に設けられた仕切り枠があり、該仕切り枠は、間隔の置かれた複数の収納空間が設けられ、該収納空間は、物品を入れるために使用されており、従来の仕切り枠は通常、全体として固定された構造になり、ボックス体と組み立てるとき、仕切り枠の底部とボックス体の底部がつながるように設けられているが、組立て後、該ボックス体の中には、収納空間が決められ、サイズの違う物品を入れるのに不便になる。
【考案の概要】
【考案が解決しようとする課題】
【０００３】
本考案は、組立てが便利かつ折り畳める収納ボックスを提供することを目的とする。
【課題を解決するための手段】
【０００４】
上述の課題を解決するための技術特徴として、本考案は、ボックス体が備わっており、該ボックス体は底面があり、該底面の四辺には、上に延された四側面があり、該底面と側面によってボックス体の内部空間が構成され、隣接した二側面の間には曲がり部が形成され、対向した二側面の上にはそれぞれ、少なくとも少なくとも一つの折畳み部が設けられており、ボックス体の底面に設けられた硬質受け板が備わっており、少なくとも一つの仕切り枠が備わっており、該仕切り枠は、ボックス体の内側面または受け板の上につながり、そしてボックス体の中に置かれているが、該仕切り枠は四側面に囲まれ、該仕切り枠の中には、仕切り辺が設けられ、該仕切り辺の両側はそれぞれ、側面とつながり、隣接した二側面の間には、曲がり部が形成されており、仕切り枠は該仕切り辺に、二つ以上の収納空間に分割されるように設けられていることを特徴とする収納ボックスを提供する。
【考案の効果】
【０００５】
本考案の効果は、本考案に掲示された仕切り枠とボックス体は、分離設計に設けられ、組立てや収納にも便利になること、該仕切り枠は折り畳めるように設けられ、ボックス体の内部空間が複数の収納空間に分割され、仕切り幅の変更も簡単になり、そして、ボックスを取外さないまま、仕切り枠が折り畳めるので、収納や折り畳みが簡単になり、使用の利便さが向上されること、収納ボックスを折り畳んだとき、収納しやすく、運搬コストも減少されること。
本考案は、以下のような効果がある。
１）本考案の収納ボックスは構造簡單、仕切り枠３とボックス体１は分離設計に設けられ、組立てや収納にも便利になること、
２）該仕切り枠３は、折り畳めるように設けられ、ボックス体１の内部空間が複数の収納空間４に分割され、仕切り幅の変更も簡単になり、そして、ボックス体１を取外さないまま、仕切り枠３が折り畳めるので、収納や折り畳みが簡単になり、使用の利便さが向上されること、
３）仕切り枠３の硬い側面により、維持の強度がよく、物品の収納も便利であること。
４）該収納ボックス全体が折り畳めるので、収納にも便利で、運搬コストも減少されること。
【図面の簡単な説明】
【０００６】
【図１】本考案の収納ボックスの実施例一の構造イメージ。
【図２】ボックス体と仕切り枠を分けたときの構造イメージ。
【図３】仕切り枠がボックス体内側面の底辺に沿って展開されたイメージ。
【図４】仕切り枠がボックス体の中に折り畳まれたときのイメージ。
【図５】仕切り枠が受け板の上に折り畳まれたときのイメージ。
【図６】仕切り枠の折り畳んだあとの状態図。
【図７】本考案の収納ボックスの実施例二の構造イメージ。
【図８】本考案の収納ボックスの実施例三の構造イメージ。
【考案を実施するための形態】
【０００７】
図１〜図６に示すように、本考案に掲示された収納ボックスは、  ボックス体１が備わり、該ボックス体１は底面１１があり、該底面１１の四辺には、上に延ばされた四側面１２があり、該底面１１と側面１によって、ボックス体の内部空間が構成され、隣接した二側面１２の間には曲がり部５が形成され、対向した二側面１２の上には、折り畳めるように、それぞれ少なくとも一つの折畳み部１３が設けられており、  該受け板２置於ボックス体の底面１１に設けられた硬質受け板２が備わっており、そして、少なくとも一つの仕切り枠３が備わっており、該仕切り枠３は、ボックス体の内側面または受け板２の上につながり、ボックス体の内に置かれているが、該仕切り枠３は、四側面３１に囲まれ、該仕切り枠３の中には、仕切り辺３２が設けられ、該仕切り辺３２の両側はそれぞれ、側面３１とつながり、隣接した二側面３１の間には、曲がり部６が形成されて、折り畳まれるように設けられているが、そのうえ、仕切り枠３は該仕切り辺３２に、二つ以上の収納空間４に分割されるように設けられていることを特徴とする。
【０００８】
該ボックス体１の四側面１２は、対向した二つの第一側面１２１及び対向した二つの第二側面１２２があり、第一側面１２１の長さは、第二側面１２２の長さの倍数になり、該折畳み部１３は第一側面１２１の上に設けられている。
該仕切り枠３内の仕切り辺３２は二つあり、二つの該仕切り辺３２は互相に垂直し、仕切り枠３は該仕切り辺３２に、四つの収納空間４に分割されるように設けられており、該仕切り枠３の側面３１は硬い面で、仕切り枠３を一定の形に保たせるようにし、仕切り辺３２は柔らかい辺になるように設けられている。
該仕切り枠３が、ボックス体１内に設けられたとき、ボックス体１とのつながり方は三つあり、それによって、ボックス体１の中における仕切り枠３の折り畳み方が異なることになるが、具体的なつながり方は下記の通り。
図３に示すように、該仕切り枠側面の底辺７及びボックス体内側面の底辺８がつながり、
図４に示すように、該仕切り枠の曲がり部６及びボックス体内側面の曲がり部５がつながり、
図５に示すように、該仕切り枠側面の底辺７及び受け板２がつながっているように設けられている。
上述したつながり方は、固定的なつながり方または、マジックバンド、ボタンなどのような装着可能なつながり方。様々な折り畳みのニーズを満足させるため、折り畳むとき、曲がり部と折畳み部を利用して、多様な折り畳み方が行われる。
【０００９】
例えば、図３〜図６に示すように、折り畳むとき、仕切り枠３の曲がり部６で、仕切り枠の隣接した二側面３１を曲げさせ、それから、該ボックス体１の第一側面１２１または第二側面１２２に貼り合わせ、そのあと、折りたたんだ仕切り枠３を、受け板２またはボックス体内側面の底辺８のつないだところに沿って、ボックス体１内へ収めるように行われる。
該受け板２の縁には、受け板２をボックス体１から取り出すための取っ手９が設けられている。
【００１０】
本考案の実施例では、該ボックス体１の中には、並立している二つの仕切り枠３（図１）またはマトリックスに並んだ四つの仕切り枠３（図７）が設けられ、並立している二つまたはマトリックスに並んだ四つの仕切り枠３をボックス体１全体に充満させ、ボックス体１を八つまたは十六つの収納空間４に隔て、または並立している二つの該仕切り枠３は、ボックス体１の二つの対角に設けられ（図８）、それによって、ボックス体１を十つの収納空間４に隔てるように設けられている。
【００１１】
また、収納空間内に収められている物品を保護するため、該収納ボックスはフタ（図示なし）があり、該フタは、該ボックス体の開き口に設けられている。
本考案の該仕切り枠３により、ボックス体１の内部空間を少なくとも、五つの収納空間４に分割することができるが、もちろん、ボックス体のサイズを、または仕切り枠のサイズと数量を変更すれば、複数の収納空間が設けられる。例えば、該ボックス体１の中には更に、一列に並んだ三仕切り枠３、または他の複数の仕切り枠３を設けて、より多くの収納空間が作られるようになる。
【図１】
0003162210.tif 000003
【図２】
0003162210.tif 000004
【図３】
0003162210.tif 000005
【図４】
0003162210.tif 000006
【図５】
0003162210.tif 000007
【図６】
0003162210.tif 000008
【図７】
0003162210.tif 000009
【図８】
0003162210.tif 000010
【手続補正書】
【提出日】平成22年6月22日(2010.6.22)
【手続補正１】
【補正対象書類名】実用新案登録請求の範囲
【補正対象項目名】請求項１
【補正方法】変更
【補正の内容】
【請求項１】
ボックス体が備わっており、該ボックス体は底面があり、該底面の四辺には、上に延された四側面があり、該底面と側面によってボックス体の内部空間が構成され、隣接した二側面の間には曲がり部が形成され、対向した二側面の上にはそれぞれ、少なくとも一つの折曲げ部が設けられており、
ボックス体の底面に設けられた硬質受け板が備わっており、
少なくとも一つの仕切り枠が備わっており、該仕切り枠は、ボックス体の内側面または受け板の上につながり、そしてボックス体の中に置かれているが、該仕切り枠は四側面に囲まれ、該仕切り枠の中には、仕切り辺が設けられ、該仕切り辺の両側はそれぞれ、側面とつながり、隣接した二側面の間には、曲がり部が形成されており、仕切り枠は該仕切り辺に、二つ以上の収納空間に分割されるように設けられていることを特徴とする収納ボックス。
【手続補正２】
【補正対象書類名】実用新案登録請求の範囲
【補正対象項目名】請求項５
【補正方法】変更
【補正の内容】
【請求項５】
該ボックス体の中には、並立している二つの仕切り枠またはマトリックスに並んだ四つの仕切り枠が設けられ、並立している二つまたはマトリックスに並んだ四つの仕切り枠をボックス体全体に充満させ、ボックス体を八つまたは十六の収納空間に隔て、または、並立している二つの該仕切り枠は、ボックス体の二つの対角に設けられ、それによって、ボックス体を十の収納空間に隔てるように設けられていることを特徴とする請求項１に記載の収納ボックス。
【手続補正３】
【補正対象書類名】明細書
【補正対象項目名】０００４
【補正方法】変更
【補正の内容】
【０００４】
上述の課題を解決するための技術特徴として、本考案は、ボックス体が備わっており、該ボックス体は底面があり、該底面の四辺には、上に延された四側面があり、該底面と側面によってボックス体の内部空間が構成され、隣接した二側面の間には曲がり部が形成され、対向した二側面の上にはそれぞれ、少なくとも一つの折曲げ部が設けられており、ボックス体の底面に設けられた硬質受け板が備わっており、少なくとも一つの仕切り枠が備わっており、該仕切り枠は、ボックス体の内側面または受け板の上につながり、そしてボックス体の中に置かれているが、該仕切り枠は四側面に囲まれ、該仕切り枠の中には、仕切り辺が設けられ、該仕切り辺の両側はそれぞれ、側面とつながり、隣接した二側面の間には、曲がり部が形成されており、仕切り枠は該仕切り辺に、二つ以上の収納空間に分割されるように設けられていることを特徴とする収納ボックスを提供する。
【手続補正４】
【補正対象書類名】明細書
【補正対象項目名】０００７
【補正方法】変更
【補正の内容】
【０００７】
図１〜図６に示すように、本考案に掲示された収納ボックスは、  ボックス体１が備わり、該ボックス体１は底面１１があり、該底面１１の四辺には、上に延ばされた四側面１２があり、該底面１１と側面１によって、ボックス体の内部空間が構成され、隣接した二側面１２の間には曲がり部５が形成され、対向した二側面１２の上には、折り畳めるように、それぞれ少なくとも一つの折曲げ部１３が設けられており、  該受け板２置於ボックス体の底面１１に設けられた硬質受け板２が備わっており、そして、少なくとも一つの仕切り枠３が備わっており、該仕切り枠３は、ボックス体の内側面または受け板２の上につながり、ボックス体の内に置かれているが、該仕切り枠３は、四側面３１に囲まれ、該仕切り枠３の中には、仕切り辺３２が設けられ、該仕切り辺３２の両側はそれぞれ、側面３１とつながり、隣接した二側面３１の間には、曲がり部６が形成されて、折り畳まれるように設けられているが、そのうえ、仕切り枠３は該仕切り辺３２に、二つ以上の収納空間４に分割されるように設けられていることを特徴とする。
【手続補正５】
【補正対象書類名】明細書
【補正対象項目名】０００８
【補正方法】変更
【補正の内容】
【０００８】
該ボックス体１の四側面１２は、対向した二つの第一側面１２１及び対向した二つの第二側面１２２があり、第一側面１２１の長さは、第二側面１２２の長さの倍数になり、該折曲げ部１３は第一側面１２１の上に設けられている。
該仕切り枠３内の仕切り辺３２は二つあり、二つの該仕切り辺３２は互相に垂直し、仕切り枠３は該仕切り辺３２に、四つの収納空間４に分割されるように設けられており、該仕切り枠３の側面３１は硬い面で、仕切り枠３を一定の形に保たせるようにし、仕切り辺３２は柔らかい辺になるように設けられている。
該仕切り枠３が、ボックス体１内に設けられたとき、ボックス体１とのつながり方は三つあり、それによって、ボックス体１の中における仕切り枠３の折り畳み方が異なることになるが、具体的なつながり方は下記の通り。
図３に示すように、該仕切り枠側面の底辺７及びボックス体内側面の底辺８がつながり、
図４に示すように、該仕切り枠の曲がり部６及びボックス体内側面の曲がり部５がつながり、
図５に示すように、該仕切り枠側面の底辺７及び受け板２がつながっているように設けられている。
上述したつながり方は、固定的なつながり方または、マジックバンド、ボタンなどのような装着可能なつながり方。様々な折り畳みのニーズを満足させるため、折り畳むとき、曲がり部と折曲げ部を利用して、多様な折り畳み方が行われる。
【手続補正６】
【補正対象書類名】明細書
【補正対象項目名】００１０
【補正方法】変更
【補正の内容】
【００１０】
本考案の実施例では、該ボックス体１の中には、並立している二つの仕切り枠３（図１）またはマトリックスに並んだ四つの仕切り枠３（図７）が設けられ、並立している二つまたはマトリックスに並んだ四つの仕切り枠３をボックス体１全体に充満させ、ボックス体１を八つまたは十六の収納空間４に隔て、または並立している二つの該仕切り枠３は、ボックス体１の二つの対角に設けられ（図８）、それによって、ボックス体１を十の収納空間４に隔てるように設けられている。